(57)【要約】【課題】損耗した炉壁と型枠との間隔を容易に調整することができ、高い作業効率で炉壁を均一な厚さに補修することができる炉壁補修方法に使用される炉壁補修補助具を提供する。【解決手段】損耗した炉壁と間隔を開けて型枠９１を配置し、損耗した炉壁と型枠との間に不定形耐火物を流し込む炉壁補修方法に使用される炉壁補修補助具１０を、型枠に当接させる当接部１１ａ，１２ａと、当接部より上方に突出した突出部１５と、突出部に形成された貫通孔１９を挿通したボルト２１とを具備し、ナット２２に対するボルトの螺進及び螺退により、ボルトの先端と突出部との距離が変化する構成とする。【選択図】図１
2014145014.tif 000002
【特許請求の範囲】
【請求項１】
損耗した炉壁と間隔を開けて型枠を配置し、前記損耗した炉壁と前記型枠との間に不定形耐火物を流し込む炉壁補修方法であって、
前記型枠に当接させる当接部、該当接部より上方に突出した突出部、及び、該突出部に形成された貫通孔を挿通した雄螺子軸部を備え、雌螺子部に対する前記雄螺子軸部の螺進及び螺退により、前記雄螺子軸部の先端と前記突出部との距離が変化する炉壁補修補助具を使用し、
前記当接部を前記型枠の天面または側面に当接させ、前記突出部を前記型枠の天面より上方に突出させた状態で、前記炉壁補修補助具を前記型枠に固定し、
前記雄螺子軸部の先端を前記損耗した炉壁の表面に接触させた状態で、前記雄螺子軸部を前記雌螺子部に対して螺進または螺退させることにより、前記損耗した炉壁と前記型枠との間隔を調整し、
間隔が調整された前記損耗した炉壁と前記型枠との間に前記不定形耐火物を流し込む
ことを特徴とする炉壁補修方法。
【請求項２】
損耗した炉壁と間隔を開けて型枠を配置し、前記損耗した炉壁と前記型枠との間に不定形耐火物を流し込む炉壁補修方法に使用される炉壁補修補助具であって、
前記型枠に当接させる当接部と、
該当接部より上方に突出した突出部と、
該突出部に形成された貫通孔を挿通した雄螺子軸部とを具備し、
雌螺子部に対する前記雄螺子軸部の螺進及び螺退により、前記雄螺子軸部の先端と前記突出部との距離が変化する
ことを特徴とする炉壁補修補助具。
【発明の詳細な説明】
【技術分野】
【０００１】
本発明は、損耗した炉壁と間隔を開けて型枠を配置し、損耗した炉壁と型枠との間に不定形耐火物を流し込む炉壁補修方法、及び、該炉壁補修方法に使用される炉壁補修補助具に関するものである。
【背景技術】
【０００２】
製銑用炉、製鋼用炉、非鉄金属工業用炉、石油工業用炉などの炉壁は、使用により損耗する。損耗した炉壁を補修する方法の一つとして、損耗した炉壁と間隔を開けて型枠を配置し、損耗した炉壁と型枠との間に不定形耐火物を流し込む「打ち増し」と称される方法がある。例えば、円筒状の炉壁の場合、損傷した炉壁の内側に外形が円形の型枠を配置する。型枠は複数に分割されているのが一般的であり、図４に示すように、横断面の外形が扇形の型枠９１を複数組み合わせて外形を円形とする。
【０００３】
損耗した炉壁は厚さが不均一となっているため、補修後に炉壁の厚さが均一となるように、損耗した炉壁と型枠との距離を調整する必要がある。図５に示すように、炉の中心線を示すレーザ光９９を照射し、レーザ光９９から複数の型枠９１までの距離が同一となるように、損耗した炉壁９０と型枠９１との間隔を調整する。従来、この調整は、損耗した炉壁９０と型枠９１との間にクサビ９６を挿し込んだり、対向する炉壁９０と型枠９１との間につっかい棒９７を架け渡したりすることによって行われていた。
【０００４】
そのため、炉壁９０において部分ごとに相違する損耗の程度に応じて、クサビ９６の大きさや数、つっかい棒９７の長さや角度を調整する必要があり、この調整作業に要する手間や時間が多大であるという問題があった。また、調整作業中にクサビ９６が落下してしまうことがあり、その場合は炉壁９０と型枠９１との間からクサビ９６を取り出すために、型枠９１を取り外す必要がある。そのため、作業が重複することとなり、作業効率が悪いという問題があった。
【０００５】
また、損耗した炉壁９０と型枠９１との間にクサビ９６を挿し込んだ状態で不定形耐火物を流し込むため、図６の紙面右側に示すように、流し込まれた不定形耐火物が硬化した耐火物層３１からクサビ９６を取り外した跡には、型枠９１と炉壁９０との間で不定形耐火物が充填されていない空隙Ｓが残ってしまう。そのため、この空隙Ｓを埋めるために、図６の紙面左側に示すように、再度不定形耐火物を流し込んで耐火物層３２を形成する必要があり、この点からも作業効率が悪いものとなっていた。
【０００６】
加えて、対向する炉壁９０と型枠９１との間に架け渡されたつっかい棒９７が、不定形耐火物を流し込む作業の邪魔になり、作業効率が悪いという問題もあった。
【発明の概要】
【発明が解決しようとする課題】
【０００７】
そこで、本発明は、上記の実情に鑑み、損耗した炉壁と間隔を開けて型枠を配置し、損耗した炉壁と型枠との間に不定形耐火物を流し込む炉壁補修方法であって、損耗した炉壁と型枠との間隔を容易に調整することができ、高い作業効率で炉壁を均一な厚さに補修することができる炉壁補修方法、及び、該炉壁補修方法に使用される炉壁補修補助具の提供を、課題とするものである。
【課題を解決するための手段】
【０００８】
上記の課題を解決するため、本発明にかかる炉壁補修方法は、「損耗した炉壁と間隔を開けて型枠を配置し、前記損耗した炉壁と前記型枠との間に不定形耐火物を流し込む炉壁補修方法であって、前記型枠に当接させる当接部、該当接部より上方に突出した突出部、及び、該突出部に形成された貫通孔を挿通した雄螺子軸部を備え、雌螺子部に対する前記雄螺子軸部の螺進及び螺退により、前記雄螺子軸部の先端と前記突出部との距離が変化する炉壁補修補助具を使用し、前記当接部を前記型枠の天面または側面に当接させ、前記突出部を前記型枠の天面より上方に突出させた状態で、前記炉壁補修補助具を前記型枠に固定し、前記雄螺子軸部の先端を前記損耗した炉壁の表面に接触させた状態で、前記雄螺子軸部を前記雌螺子部に対して螺進または螺退させることにより、前記損耗した炉壁と前記型枠との間隔を調整し、間隔が調整された前記損耗した炉壁と前記型枠との間に前記不定形耐火物を流し込む」ものである。
【０００９】
炉壁補修補助具の型枠への固定は、「当接部」に貫通孔を穿設しておき、この貫通孔に挿通した釘やビスを型枠に留め付けることによって行うことができる。或いは、炉壁補修補助具及び型枠の一方にレール状等の係止部を設け、この係止部に着脱自在に係止される被係止部を他方に設けておいてもよい。
【００１０】
炉壁補修補助具の雄螺子軸部と螺合する「雌螺子部」は、ナットで構成させることができる。或いは、当接部に形成された「貫通孔」の内周面に形成された螺子溝によって、「雌螺子部」を構成させることができる。
【００１１】
なお、損耗した炉壁と型枠との間に流し込む不定形耐火物は、流し込み施工に一般的に使用される不定形耐火物を限定なく使用することができ、例えば、アルミナ質、スピネル質、アルミナ−シリカ質、アルミナ−スピネル質、アルミナ−マグネシア質等の不定形耐火物を使用することができる。
【００１２】
本構成の炉壁補修方法では、当接部を型枠の天面または側面に当接させた状態で炉壁補修補助具を型枠に固定する。このとき、突出部を型枠の天面より上方に突出させるため、突出部に形成された貫通孔に雄螺子軸部を挿通することができる。雄螺子軸部は雌螺子部との螺合により進退し、その進退によって雄螺子軸部の先端と突出部との距離が変化する。これにより、雄螺子軸部の先端を損耗した炉壁の表面に接触させた状態で、雄螺子軸部を雌螺子部に対して進退させれば、炉壁表面と突出部との間の距離が変化する。従って、雄螺子軸部を回転させるのみの極めて簡易な操作で、炉壁表面と、当接部を介して突出部が固定されている型枠との間の距離を変化させることができるため、労力及び時間をかけることなく、損耗した炉壁と型枠との間隔を容易に調整し、高い効率で炉壁を均一な厚さに補修することができる
【００１３】
また、本構成の炉壁補修方法に使用される炉壁補修補助具は、型枠に取り付けられる構成であるため、従来方法で使用していたクサビとは異なり、落下するおそれがない。また、従来方法で使用していたつっかい棒とは異なり、不定形耐火物の流し込み作業の邪魔になることがない。従って、高い作業効率で、炉壁を補修することができる。
【００１４】
次に、本発明にかかる炉壁補修補助具は、「損耗した炉壁と間隔を開けて型枠を配置し、前記損耗した炉壁と前記型枠との間に不定形耐火物を流し込む炉壁補修方法に使用される炉壁補修補助具であって、前記型枠に当接させる当接部と、該当接部より上方に突出した突出部と、該突出部に形成された貫通孔を挿通した雄螺子軸部とを具備し、雌螺子部に対する前記雄螺子軸部の螺進及び螺退により、前記雄螺子軸部の先端と前記突出部との距離が変化する」ものである。
【００１５】
本構成は、上記の炉壁補修方法に使用される炉壁補修補助具の構成である。かかる構成の炉壁補修補助具を使用することにより、上記のように、損耗した炉壁と型枠との間隔を容易に調整し、高い効率で炉壁を均一な厚さに補修することができる炉壁補修方法を、実現することができる。
【発明の効果】
【００１６】
以上のように、本発明の効果として、損耗した炉壁と間隔を開けて型枠を配置し、損耗した炉壁と型枠との間に不定形耐火物を流し込む炉壁補修方法であって、損耗した炉壁と型枠との間隔を容易に調整することができ、高い作業効率で炉壁を均一な厚さに補修することができる炉壁補修方法、及び、該炉壁補修方法に使用される炉壁補修補助具を、提供することができる。
【図面の簡単な説明】
【００１７】
【図１】本発明の一実施形態である炉壁補修補助具の（ａ）斜視図、及び、（ｂ）型枠に固定した状態の縦断面図である。
【図２】本発明の一実施形態である炉壁補修方法を説明する（ａ）縦断面図、及び、（ｂ）平面図である。
【図３】図２に引き続き炉壁補修方法を説明する縦断面図である。
【図４】従来の炉壁補修方法について、型枠の配置を説明する平面図である。
【図５】従来の炉壁補修方法を説明する縦断面図である。
【図６】従来の炉壁補修方法において不定形耐火物を流し込んだ状態の縦断面図である。
【発明を実施するための形態】
【００１８】
以下、本発明の具体的な実施形態について、図１乃至図３を用いて説明する。本実施形態の炉壁補修方法は、損耗した炉壁９０と間隔を開けて型枠９１を配置し、損耗した炉壁９０と型枠９１との間に不定形耐火物を流し込む炉壁補修方法であって、型枠９１に当接させる当接部、当接部より上方に突出した突出部１５、及び、突出部１５に形成された貫通孔１９を挿通したボルト２１を備え、ナット２２に対するボルト２１の螺進及び螺退により、ボルト２１の先端と突出部１５との距離が変化する炉壁補修補助具１０を使用し、当接部を型枠９１の天面または側面に当接させ、突出部１５を型枠９１の天面より上方に突出させた状態で、炉壁補修補助具１０を型枠９１に固定し、雄螺子軸部の先端を損耗した炉壁９０の表面に接触させた状態で、ボルト２１をナット２２に対して螺進または螺退させることにより、損耗した炉壁９０と型枠９１との間隔を調整し、間隔が調整された損耗した炉壁９０と型枠９１との間に不定形耐火物を流し込むものである。
【００１９】
図１に示すように、本実施形態の炉壁補修方法に使用される本実施形態の炉壁補修補助具１０（以下、単に「補助具１０」と称することがある）は、型枠９１に当接させる当接部と、当接部より上方に突出した突出部１５と、突出部１５に形成された貫通孔１９を挿通したボルト２１とを具備し、ナット２２に対するボルト２１の螺進及び螺退により、ボルトの先端と突出部１５との距離が変化するものである。
【００２０】
より詳細に説明すると、補助具１０は当接部として、型枠９１の側面９１ｂに当接させる第一当接部１１ａと、型枠９１の天面９１ａに当接させる第二当接部１２ａとを備えている。第一当接部１１ａは、金属製の平板部材１１の一部によって構成されおり、この平板部材１１の途中から平板部材１１に対して垂直に、平板状の第二当接部１２ａが接合されている。そして、平板部材１１において、第二当接部１２ａとの接合部を境界とした二つの面部１１ａ，１１ｂのうち、一方の面部が第一当接部１１ａであり、他方側の面部１１ｂが突出部１５を構成している。より具体的には、補助具１０は平板部材１１に加えて、金属製の断面Ｌ字形の板材１２によって形成されており、板材１２においてＬ字を形成する垂直な二つの面部１２ａ，１２ｂのうち、一方の面部によって第二当接部１２ａが構成されている。そして、板材１２における他方の面部１２ｂが、平板部材の面部１１ｂに重ね合わされて接合されることにより、面部１１ｂ及び面部１２ｂで突出部１５を構成している。なお、第二当接部１２ａ及びこれに垂直な面部１２ｂは、それぞれに対して垂直な一対の三角形の板材１３によって連結され補強されている。
【００２１】
突出部１５には貫通孔１９が穿設されており、この貫通孔１９をボルト２１が挿通している。ボルト２１には二つのナット２２が螺合させてあり、二つのナット２２は突出部１５を両側から挟み込むように位置している。なお、ボルト２１が本発明の「雄螺子軸部」に相当し、ナット２２が本発明の「雌螺子部」に相当する。
【００２２】
補助具１０を使用した炉壁補修方法の手順について、以下説明する。まず、図４を用いて説明した従来方法と同様に、損耗した炉壁９０の内側に複数の扇形の型枠９１を配置し、全体で外形円形とする。
【００２３】
次に、図１（ｂ）及び図２（ａ）に示すように、補助具１０の第二当接部１２ａを型枠９１の天面９１ａに当接させると共に、第一当接部１１ａを型枠９１の側面９１ｂに当接させ、第一当接部１１ａの孔部１１ｃ及び第二当接部１２ａの第二孔部１２ｃに挿通した釘やビス等の締結用部材（図示を省略）を、型枠９１に留め付ける。これにより、第一当接部１１ａ及び第二当接部１２ａを介して、補助具１０が型枠９１に固定される。このとき、図２（ｂ）に示すように、隣接する型枠９１の境界を跨ぐように、補助具１０を型枠９１に固定する。換言すれば、第一当接部１１ａ及び第二当接部１２ａで、隣接する型枠９１の境界を被覆するように、補助具１０を型枠９１に固定する。
【００２４】
第二当接部１２ａを型枠９１の天面９１ａに当接させると共に、第一当接部１１ａを型枠９１の側面９１ｂに当接させることにより、突出部１５が型枠９１の天面９１ａより上方に突出する。この突出部１５に穿設された貫通孔１９に挿通させてあるボルト２１を、ナット２２に対して螺進または螺退させると共に、二つのナット２２で締め付けてボルト２１を突出部１５に固定することにより、ボルト２１の先端と突出部１５との距離を変化させることができる。ここで、ボルト２１は、その先端が損耗した炉壁９０側を向くように、貫通孔１９に挿通しておく。そして、ボルト２１の先端を損耗した炉壁９０の表面に接触させた状態で、ボルト２１をナット２２に対して螺進または螺退させることにより、ボルト２１の先端と突出部１５との距離を変化させることができ、ひいては、ボルト２１の先端を接触させている炉壁９０の表面と、補助具１０が固定されている型枠９１との間隔を調整することができる。
【００２５】
これにより、図２（ａ）に示すように、炉の中心線を示すレーザ光９９から型枠９１までの距離Ｌが均一となるように、複数の補助具１０のボルト２１をそれぞれ回転させ、複数の型枠９１について、それぞれの型枠９１が対面する炉壁９０との間隔を調整する。具体的には、図２（ｂ）に示すように、炉壁９０の損耗が大きい部分では、ボルト２１を突出部１５から炉壁９０に向かって長く突出させ、炉壁９０の損耗が小さい部分では、それより短くボルト２１を突出部１５から炉壁９０に向かって突出させる。ここで、補助具１０は隣接する型枠９１の境界に取り付けられているため、補助具１０は複数の型枠９１を連結する作用を兼ねている。これにより、複数の補助具１０において、突出部１５から突出させるボルト２１の長さが異なっていても、型枠９１のずれが抑制され、複数の型枠９１の外周面が不連続になるおそれが抑制されている。
【００２６】
損耗した炉壁９０と型枠９１との間隔の調整が終了したら、図３に示すように、損耗した炉壁９０と型枠９１との間に不定形耐火物を流し込み、耐火物層３１とする。炉壁９０と型枠９１との間にクサビを挿し込む従来方法とは異なり、型枠９１の天面９１ａの高さまで均一に不定形耐火物を流し込むことができる。耐火物層３１の硬化後、型枠９１及び補助具１０を取り外す。なお、補助具１０を取り外した後の耐火物層３１には、第一当接部１１ａの厚さ分の凹部が残存するが、不定形耐火物のコテ塗り等でこの凹部を充填してもよい。
【００２７】
以上のように本実施形態の補助具１０を使用する本実施形態の炉壁補修方法によれば、補助具１０を型枠９１に固定し、ボルト２１を回転させるのみの極めて簡易な操作で、労力及び時間をかけることなく、損耗した炉壁９０と型枠９１との間隔を容易に調整することができ、高い作業効率で炉壁９０を均一な厚さに補修することができる。
【００２８】
また、補助具１０は型枠９１に固定されるため、従来方法で使用していたクサビ９６とは異なり落下するおそれがなく、従来方法で使用していたつっかい棒９７とは異なり、不定形耐火物の流し込み作業の邪魔になることがない。これにより、高い作業効率で炉壁９０を補修することができる。
【００２９】
更に、第二当接部１２ａと突出部１５（面部１２ｂ）を連結している一対の板材１３は三角形であるため、ボルト２１の両側方が板材１３によって閉塞されることがない。これにより、ボルト２１を回転させる操作を妨げることなく、板材１３によって補助具１０が補強されている。
【００３０】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３１】
例えば、上記の実施形態では、二つのナット２２によってボルト２１が突出部１５に固定される態様を例示したが、これに限定されず、一つのナットを、その螺子孔が貫通孔１９と連通するように突出部１５に固着してもよい。或いは、ナットではなく、貫通孔１９の内周面に形成された螺子溝によって、雌螺子部を構成させることができる。
【００３２】
また、当接部として第一当接部１１ａ及び第二当接部１２ａを備える補助具１０を例示したが、これに限定されず、型枠９１の側面９１ｂに当接させる当接部、及び、型枠９１の天面９１ａに当接させる当接部の何れか一方のみを備える補助具であっても、上記実施形態の補助具１０と同様の作用効果を発揮することが可能である。
【符号の説明】
【００３３】
１０  補助具（炉壁補修補助具）
１１ａ  第一当接部（当接部）
１２ａ  第二当接部（当接部）
１５  突出部
１９  貫通孔
２１  ボルト（雄螺子軸部）
２２  ナット（雌螺子部）
９０  損耗した炉壁
９１  型枠
【図１】
2014145014.tif 000003
【図２】
2014145014.tif 000004
【図３】
2014145014.tif 000005
【図４】
2014145014.tif 000006
【図５】
2014145014.tif 000007
【図６】
2014145014.tif 000008